(57)【特許請求の範囲】
【請求項１】
個人情報が書き込まれている端末装置用記憶部を有する端末装置と、
前記端末装置を休止状態から活動状態にするリモート管理装置と、
個別データが前記個人情報と関連付けられて書き込まれている配信サーバ用記憶部を有する配信サーバと、
を備え、
前記端末装置は、
前記リモート管理装置によって前記休止状態から前記活動状態にされた場合、前記個人情報を前記端末装置用記憶部から読み出して前記配信サーバへ送信し、
前記配信サーバは、
前記端末装置から受信した前記個人情報に対応する前記個別データを前記配信サーバ用記憶部から読み出して前記端末装置へ配信する
ネットワークシステム。
【請求項２】
前記端末装置は、
前記配信サーバから配信された前記個別データの受信が完了した場合、前記活動状態から前記休止状態へ移行する
請求項１に記載のネットワークシステム。
【請求項３】
前記端末装置は、
前記配信サーバから配信された前記個別データの受信が完了した場合、前記端末装置用記憶部に書き込まれている前記個人情報を削除する
請求項１または２に記載のネットワークシステム。
【請求項４】
前記リモート管理装置は、
前記端末装置用記憶部にリモート用ネットワーク設定を書き込んだ後、前記端末装置を前記休止状態から前記活動状態にし、
前記端末装置は、
前記休止状態から前記活動状態へ移行する際、前記リモート用ネットワーク設定を前記端末装置用記憶部から読み出して前記端末装置のネットワーク設定として設定する
請求項１から３のいずれか１項に記載のネットワークシステム。
【発明の詳細な説明】
【技術分野】
【０００１】
本発明は、リモート管理装置によって端末装置をリモート起動させることが可能なネットワークシステムに関するものである。
【背景技術】
【０００２】
従来から、持ち運び可能なノート型のＰＣ（Ｐｅｒｓｏｎａｌ  Ｃｏｍｐｕｔｅｒ）等といった端末装置を、例えばエレベータのメンテナンスの現場および事務所で使用する場合、以下のように運用されている。
【０００３】
すなわち、利用者が、端末装置の起動後に使用場所に合わせて手動でネットワーク設定（ＬＡＮ（Ｌｏｃａｌ  Ａｒｅａ  Ｎｅｔｗｏｒｋ）設定）を切り替えている。具体的には、現場でのネットワークは、構成簡略化のためにＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバを置かず、固定ＩＰアドレスで運用する。そこで、利用者は、現場で端末装置を使用する場合には、ＬＡＮ設定を固定ＩＰアドレスに設定し、事務所で端末装置を使用する場合には、ＬＡＮ設定をＤＨＣＰに設定する。
【０００４】
一方、利用者が現場から持ち帰った端末装置は、ＬＡＮケーブルに接続され、電源オフ状態で事務所に保管される。また、ＩＴ管理者が、夜間等に、保管された端末装置をリモート管理装置からリモート起動し、リモートデスクトップ接続により端末装置の設定変更、Ｓ／Ｗ（Ｓｏｆｔｗａｒｅ）の更新作業等を行う場合がある。
【０００５】
しかしながら、上記のように運用される場合、端末装置のネットワーク設定は、利用者が手動で切り替えているので、ＬＡＮ設定が現場設定から事務所設定に戻されず、現場設定のままになっている場合には、リモート起動後にリモートデスクトップ接続をすることができず、ＩＴ管理者が端末装置の設定変更等を行うことができない。
【０００６】
つまり、リモート起動は、例えばＷａｋｅ  ｏｎ  ＬＡＮやＡＭＴ（Ａｃｔｉｖｅ  Ｍａｎａｇｅｍｅｎｔ  Ｔｅｃｈｎｏｌｏｇｙ）リモート管理により行うことができるが、リモート起動が成功しても、リモートデスクトップ接続は、ＯＳ（Ｏｐｅｒａｔｉｎｇ  Ｓｙｓｔｅｍ）の管理で動作するので、ＯＳへのネットワーク設定が適切に行われている必要がある。
【０００７】
そこで、上記の問題点を解決するための技術として、端末装置のネットワーク設定が現場設定のまま事務所ＬＡＮに接続されて電源オフ状態で保管された場合でも、リモート管理装置から端末装置にリモートデスクトップ接続することのできるネットワークシステムが提案されている（例えば、特許文献１参照）。
【先行技術文献】
【特許文献】
【０００８】
【特許文献１】特開２０１３−１５０１６３号公報
【発明の概要】
【発明が解決しようとする課題】
【０００９】
ここで、一般的に、リモート起動された端末装置は、リモート管理装置から更新ファイル等といった必要なデータを受信可能なように構成されている。
【００１０】
上記の構成の場合、複数の端末装置に対して同一のデータをリモート管理装置から自動的かつ広範囲に配信することができる。しかしながら、リモート管理装置側では、端末装置の実際の使用者を特定することができないので、端末装置の使用者個人に紐付くようなデータをその使用者の端末装置へ個別に配信することが困難である。
【００１１】
本発明は、上記のような課題を解決するためになされたものであり、リモート起動された端末装置の使用者個人に紐付くようなデータをその使用者の端末装置へ個別に配信することのできるネットワークシステムを得ることを目的とする。
【課題を解決するための手段】
【００１２】
本発明におけるネットワークシステムは、個人情報が書き込まれている端末装置用記憶部を有する端末装置と、端末装置を休止状態から活動状態にするリモート管理装置と、個別データが個人情報と関連付けられて書き込まれている配信サーバ用記憶部を有する配信サーバと、を備え、端末装置は、リモート管理装置によって休止状態から活動状態にされた場合、個人情報を端末装置用記憶部から読み出して配信サーバへ送信し、配信サーバは、端末装置から受信した個人情報に対応する個別データを配信サーバ用記憶部から読み出して端末装置へ配信するものである。
【発明の効果】
【００１３】
本発明によれば、リモート起動された端末装置の使用者個人に紐付くようなデータをその使用者の端末装置へ個別に配信することのできるネットワークシステムを得ることができる。
【図面の簡単な説明】
【００１４】
【図１】本発明の実施の形態１におけるネットワークシステムを示すブロック構成図である。
【図２】本発明の実施の形態１における端末装置用記憶部への個人情報の書き込み手順の一例を示すフローチャートである。
【図３】本発明の実施の形態１における端末装置用記憶部への個人情報の書き込み手順の別例を示すフローチャートである。
【図４】本発明の実施の形態１におけるネットワークシステムの一連の動作を示すフローチャートである。
【発明を実施するための形態】
【００１５】
以下、本発明によるネットワークシステムを、好適な実施の形態にしたがって図面を用いて説明する。なお、図面の説明においては、同一部分または相当部分には同一符号を付し、重複する説明を省略する。
【００１６】
実施の形態１．
図１は、本発明の実施の形態１におけるネットワークシステムを示すブロック構成図である。図１において、このネットワークシステムは、リモート管理装置１０と、リモートデスクトップ接続によりリモート管理装置１０と接続される端末装置２０と、端末装置２０によってアクセスされる配信サーバ３０とから構成されている。
【００１７】
リモート管理装置１０は、端末装置２０をリモート起動する、すなわち、端末装置２０を休止状態から活動状態にする。また、リモート管理装置１０は、リモート起動された複数の端末装置２０に対して同一の全体データを配信する。なお、ここでいう全体データとは、複数の端末装置２０に向けて配信する共通のデータを意味し、例えば、更新ファイル等が挙げられる。
【００１８】
端末装置２０は、操作されることにより、電源オンでＯＳが稼働している状態である活動状態と、ソフトウエアによる電源オフ（ただし一部デバイスへの給電あり）でＯＳが非稼働の状態である休止状態とに切り替わるようになっている。
【００１９】
端末装置２０は、端末装置２０の状態が活動状態のときにのみ動作する活動状態動作部２１（ＯＳ）と、端末装置２０が活動状態であるか休止状態であるかに関係なく動作する定常動作部２２とを有している。
【００２０】
定常動作部２２には、端末装置２０の活動状態および休止状態で動作する不揮発メモリである端末装置用記憶部２３が設けられている。また、端末装置用記憶部２３には、個人情報が書き込まれている。なお、ここでいう個人情報とは、端末装置２０の使用者個人を特定するための情報を意味し、例えば、マンナンバ、パスワード等が挙げられる。
【００２１】
このように、端末装置２０は、個人情報が書き込まれている端末装置用記憶部２３を備えて構成されている。
【００２２】
ここで、端末装置用記憶部２３への個人情報の書き込み手順の一例について、図２を参照しながら説明する。図２は、本発明の実施の形態１における端末装置用記憶部２３への個人情報の書き込み手順の一例を示すフローチャートである。なお、図２のフローチャートは、リモート管理装置１０を操作することで特定のＷｅｂ画面がオープンになった場合に実行される。
【００２３】
ステップＳ１１において、リモート管理装置１０を操作することで、リモート管理装置１０のＷｅｂ画面にて個人情報を入力し、処理がステップＳ１２へと進む。
【００２４】
ステップＳ１２において、リモート管理装置１０を操作することで、リモート管理装置１０のＷｅｂ画面にて、ステップＳ１１で入力された個人情報を書き込む対象の端末装置２０を指定し、処理がステップＳ１３へと進む。
【００２５】
ステップＳ１３において、リモート管理装置１０は、ステップＳ１１で入力された個人情報を、その端末装置２０の端末装置用記憶部２３に書き込み、一連の処理が終了する。
【００２６】
図２に示すとおり、一例として、端末装置２０の端末装置用記憶部２３への個人情報の書き込みは、リモート管理装置１０側から行われる。
【００２７】
続いて、端末装置用記憶部２３への個人情報の書き込み手順の別例について、図３を参照しながら説明する。図３は、本発明の実施の形態１における端末装置用記憶部２３への個人情報の書き込み手順の別例を示すフローチャートである。なお、図３のフローチャートは、端末装置２０を操作することで活動状態動作部２１が起動した場合に実行される。
【００２８】
ステップＳ２１において、端末装置２０を操作することで、端末装置２０に個人情報を入力し、処理がステップＳ２２へと進む。
【００２９】
ステップＳ２２において、端末装置２０は、ステップＳ２１で入力された個人情報を、端末装置用記憶部２３に書き込み、一連の処理が終了する。
【００３０】
図３に示すとおり、別例として、端末装置２０の端末装置用記憶部２３への個人情報の書き込みは、端末装置２０側から行われる。
【００３１】
図１の説明に戻り、活動状態動作部２１は、リモート管理装置１０によって休止状態から活動状態にされた場合、個人情報を端末装置用記憶部２３から読み出して、その個人情報を配信サーバ３０へ送信する。
【００３２】
配信サーバ３０は、配信サーバ用記憶部３１を有している。配信サーバ用記憶部３１には、個別データが個人情報と関連付けられて書き込まれている。配信サーバ３０は、端末装置２０からのアクセスに応答して、端末装置２０から受信した個人情報に対応する個別データを配信サーバ用記憶部３１から読み出して、その個別データを端末装置２０へ配信する。なお、ここでいう個別データとは、端末装置２０の使用者個人に紐付くようなデータを意味し、例えば、使用者個人に固有の編成表のデータ等が挙げられる。
【００３３】
このように、配信サーバ３０は、個別データが個人情報と関連付けられて書き込まれている配信サーバ用記憶部３１を備えて構成されている。
【００３４】
なお、図１では、リモート管理装置１０と配信サーバ３０とを別個に設ける場合を例示しているが、これに限定されず、リモート管理装置１０内に配信サーバ３０を設けてもよい、すなわち、リモート管理装置１０に配信サーバ３０の機能を組み込んでもよい。
【００３５】
また、本実施の形態１におけるネットワークシステムにおいては、特許文献１に記載の従来技術と同様の機能として、活動状態動作部２１が、端末装置２０のネットワーク設定をリモート用ネットワーク設定としての事務所ＬＡＮ設定にする機能が具備されている。当該機能については、特許文献１において詳述されているので、以下、当該機能について簡潔に説明する。
【００３６】
ここで、端末装置２０は、休止状態であり、端末装置２０のネットワーク設定が現場設定または事務所設定のいずれかになっており、このままでは、リモート管理装置１０が端末装置２０を活動状態にしても、事務所ＬＡＮでリモート管理装置１０と接続できない可能性がある。
【００３７】
そこで、リモート管理装置１０は、端末装置用記憶部２３に事務所ＬＡＮ設定を書き込んだ後に、端末装置２０を活動状態にする。また、活動状態動作部２１は、起動する際に、端末装置用記憶部２３から事務所ＬＡＮ設定を読み出して、読み出した事務所ＬＡＮ設定を端末装置２０のネットワーク設定として設定する。
【００３８】
このように、リモート管理装置１０は、端末装置用記憶部２３にリモート用ネットワーク設定を書き込んだ後、端末装置２０を休止状態から活動状態にする。また、端末装置２０は、休止状態から活動状態へ移行する際、リモート用ネットワーク設定を端末装置用記憶部２３から読み出して、そのリモート用ネットワーク設定を端末装置２０のネットワーク設定として設定する。
【００３９】
上記のように構成することで、端末装置２０のネットワーク設定が現場設定のまま事務所ＬＡＮに接続されて休止状態で保管された場合であっても、リモート管理装置１０が端末装置２０を活動状態にしたときに、事務所ＬＡＮでリモート管理装置１０と接続することができる。
【００４０】
次に、本実施の形態１におけるネットワークシステムの一連の動作について、図４を参照しながら説明する。図４は、本発明の実施の形態１におけるネットワークシステムの一連の動作を示すフローチャートである。なお、図４のフローチャートは、リモート管理装置１０によって、端末装置２０が休止状態から活動状態にされた場合に実行される。
【００４１】
ステップＳ３１において、端末装置２０は、端末装置用記憶部２３からリモート用ネットワーク設定を読み出し、処理がステップＳ３２へと進む。
【００４２】
ステップＳ３２において、端末装置２０は、ステップＳ３１で読み出したリモート用ネットワーク設定を、端末装置２０のネットワークとして設定し、処理がステップＳ３３へと進む。
【００４３】
ステップＳ３３において、端末装置２０は、リモート管理装置１０から全体データを受信し、処理がステップＳ３４へと進む。
【００４４】
ステップＳ３４において、端末装置２０は、端末装置用記憶部２３への個人情報の書き込みの有無を判断する。ステップＳ３４において、端末装置用記憶部２３に個人情報の書き込みが有る（すなわち、ＹＥＳ）と判断された場合には、処理がステップＳ３５へと進み、端末装置用記憶部２３に個人情報の書き込みが無い（すなわち、ＮＯ）と判断された場合には、処理がステップＳ３８へと進む。
【００４５】
ステップＳ３５において、端末装置２０は、端末装置用記憶部２３から個人情報を読み出して、その個人情報を配信サーバ３０へ送信し、処理がステップＳ３６へと進む。この場合、配信サーバ３０は、端末装置２０から個人情報を受信し、その個人情報に対応する個別データを配信サーバ用記憶部３１から読み出して、その個人情報に対応する端末装置２０へその個別データを配信する。
【００４６】
このように、端末装置２０は、リモート管理装置１０によって休止状態から活動状態にされた場合、個人情報を端末装置用記憶部２３から読み出して配信サーバ３０へ送信する。また、配信サーバ３０は、端末装置２０から受信した個人情報に対応する個別データを配信サーバ用記憶部３１から読み出して端末装置２０へ配信する。
【００４７】
ステップＳ３６において、端末装置２０は、配信サーバ３０から個別データを受信し、処理がステップＳ３７へと進む。
【００４８】
ステップＳ３７において、端末装置２０は、端末装置用記憶部２３から個人情報を削除し、処理がステップＳ３８へと進む。
【００４９】
このように、端末装置２０は、配信サーバ３０から配信された個別データの受信が完了した場合、端末装置用記憶部２３に書き込まれている個人情報を削除する。
【００５０】
なお、図４のフローチャートにおいて、ステップＳ３７を設けなくてもよい。この場合、ステップＳ３６が実行された後、処理がステップＳ３８へと進む。
【００５１】
ステップＳ３８において、端末装置２０は、リモート管理装置１０へ完了信号を送信し、処理がステップＳ３９へと進む。
【００５２】
ステップＳ３９において、端末装置２０は、活動状態から休止状態へ移行し、一連の処理が終了する。
【００５３】
具体的には、端末装置２０は、配信サーバ３０から配信された個別データの受信が完了した場合、リモート管理装置１０へ完了信号を送信する。また、端末装置２０は、完了信号送信後に、活動状態から休止状態にする。なお、端末装置２０の活動状態から休止状態への移行は、端末装置２０側から行われるように構成する場合を例示しているが、リモート管理装置１０側から行われるように構成してもよい。
【００５４】
以上、本実施の形態１によれば、端末装置は、リモート管理装置によって休止状態から活動状態にされた場合、個人情報を端末装置用記憶部から読み出して配信サーバへ送信し、配信サーバは、端末装置から受信した個人情報に対応する個別データを配信サーバ用記憶部から読み出して端末装置へ配信するように構成されている。
【００５５】
これにより、リモート起動された端末装置の使用者個人に紐付くようなデータをその使用者の端末装置へ個別に配信することができる。また、夜間等の端末装置が使用されていない時間帯に使用者個人に紐付くデータの配信が可能となり、その結果、使用者個人が端末装置を操作することで個別データをダウンロードする場合と比べて、ダウンロードの待ち時間をなくすことができる。
【符号の説明】
【００５６】
１０  リモート管理装置、２０  端末装置、２１  活動状態動作部、２２  定常動作部、２３  端末装置用記憶部、３０  配信サーバ、３１  配信サーバ用記憶部。
【図１】
0006461040.tif 000002
【図２】
0006461040.tif 000003
【図３】
0006461040.tif 000004
【図４】
0006461040.tif 000005